(57)【要約】      （修正有）【課題】素材であるリボンを市松模様状に織って重ねることにより得られる細長い立体モチーフを意匠性に優れたものとする、リボンを使用した装身具を提供する。【解決手段】一対のリボン片と他の一対のリボン片との交差部が市松模様を呈するように一対のリボン片と他の一対のリボン片とが交差し、それらの各リボン片がそれぞれのリボン片に交差している他のリボン片を包み込むように折り返えるとともに折り返っているリボン片同士が市松模様と同様の市松模様を呈するように交差して交差部上に他の交差部を形成し、これらの交差部が積み重なっている立体モチーフを備えたリボンを使用した装身具であって、各リボン片１００は、立体モチーフの端部側に切断端１００ａを有し、切断端１００ａは、いずれかのリボン片１０１の下側に位置した状態で立体モチーフに対して固定されている。【選択図】図５
0003203973.tif 000002
【実用新案登録請求の範囲】
【請求項１】
互いに平行に配置された一対のリボン片と互いに平行に配置された他の一対のリボン片との交差部が市松模様を呈するように前記一対のリボン片と前記他の一対のリボン片とが交差し、それらの各リボン片がそれぞれのリボン片に交差している他のリボン片を包み込むように折り返えるとともに折り返っているリボン片同士が前記市松模様と同様の市松模様を呈するように交差して前記交差部上に他の交差部を形成し、これらの交差部が積み重なっている立体モチーフを備えたリボンを使用した装身具において、
前記各リボン片は、前記立体モチーフの端部側に切断端を有し、
前記切断端は、いずれかの前記リボン片の下側に位置した状態で前記立体モチーフに対して固定されている
ことを特徴とするリボンを使用した装身具。
【請求項２】
前記各リボン片は、熱可塑性合成樹脂繊維によって構成され、
前記切断端における前記熱可塑性合成樹脂繊維同士が溶けて融合している
ことを特徴とする請求項１に記載のリボンを使用した装身具。
【請求項３】
前記立体モチーフの中心部を前記交差部の積み重ね方向に沿って貫通した線条材を有し、
前記線条材の前記立体モチーフから突出している箇所に前記線条材に直交する方向に延び出た装飾部を有する
ことを特徴とする請求項１または２に記載のリボンを使用した装身具。
【考案の詳細な説明】
【技術分野】
【０００１】
本考案は、リボンを素材として作られた装身具に関するものである。
【背景技術】
【０００２】
布地や紙など幅の狭い帯状材であるリボンは、複数本を束ねたり、あるいは結び目を作るなどのことにより様々な形になり、装身具や装飾具として多用されている。リボンを使用して作ることのできる形態の多様性を利用した装身具（アクセサリー）が、非特許文献１に掲載されている。そのアクセサリーは、本出願人が提案しているものであり、二本のリボンを使用して市松模様に編み、下側の市松模様の部分の上に、下側と同様の市松模様を編んで重ねることにより、断面形状が矩形の細長い立体モチーフを作り、その両端部をつないでリング状にし、これに連結用の金具を取り付けて構成されている。その立体モチーフを構成している二本のリボンとして様々な色彩のものを使用することにより、立体モチーフの表面側に現れる模様あるいは色彩が多様な好みにマッチしてものとなり、あるいは立体モチーフをリングにするだけでなく、捻ることにより表面の模様が連続的に変化するものとするなど、多様な形および色彩の装身具とすることができる。
【先行技術文献】
【非特許文献】
【０００３】
【非特許文献１】雑誌「装苑」２０１５年３月号
【考案の概要】
【考案が解決しようとする課題】
【０００４】
上記の非特許文献１に記載されたアクセサリーは、両端部を繋いでリング状にするように構成されている。そのため、リボンの裁断された端部は接着剤で止めてある。すなわち、裁断されたリボンの端部が立体モチーフの端部に現れる。その端部は他方の端部に繋がれて立体モチーフはリングにされるので、リング状に作った製品としては裁断された端部が外からは見えず、接着剤で止めた端部が製品の外観を損なうことがない。
【０００５】
しかしながら、立体モチーフを細長い形のままアクセサリーとする場合には、立体モチーフの両端部がアクセサリーの表面に現れるので、接着剤で止めた端部がアクセサリーの外観すなわち見栄えを毀損してしまう。また、布製のリボンを使用した場合、裁断されたリボンの端部で糸がほつれる可能性がある。上記の従来のアクセサリーでは、裁断した端部を接着剤で固定しているが、接着剤ではほつれの進行を止めることができるとしてもほつれた繊維を隠すことはできず、立体モチーフを両端が露出したまま製品とするには更に改良する余地があった。
【０００６】
上述した従来のアクセサリーは、リング状に形を整えた後に、そのリングを構成しているリボンの適当な箇所に金具を潜らせて取り付け、その金具を連結具としてリング同士を連結したり、衣服や体に付けるようになっている。したがって引っ張り力が掛かった場合にアクセサリーが延びて変形する可能性があり、また素材となっているリボン生地を傷める可能性がある。
【０００７】
本考案は上記の事情を背景としてなされたものであって、素材であるリボンを市松模様状に織って重ねることにより得られる細長い立体モチーフをリングにすることなく使用するにあたり意匠性に優れたものとすることを目的とするものである。
【課題を解決するための手段】
【０００８】
本考案は、上記の目的を達成するために、互いに平行に配置された一対のリボン片と互いに平行に配置された他の一対のリボン片との交差部が市松模様を呈するように前記一対のリボン片と前記他の一対のリボン片とが交差し、それらの各リボン片がそれぞれのリボン片に交差している他のリボン片を包み込むように折り返えるとともに折り返っているリボン片同士が前記市松模様と同様の市松模様を呈するように交差して前記交差部上に他の交差部を形成し、これらの交差部が積み重なっている立体モチーフを備えたリボンを使用した装身具において、前記各リボン片は、前記立体モチーフの端部側に切断端を有し、前記切断端は、いずれかの前記リボン片の下側に位置した状態で前記立体モチーフに対して固定されていることを特徴とするものである。
【０００９】
本考案においては、前記各リボン片は、熱可塑性合成樹脂繊維によって構成され、前記切断端における前記熱可塑性合成樹脂繊維同士が溶けて融合していてよい。
【００１０】
また、本考案においては、前記立体モチーフの中心部を前記交差部の積み重ね方向に沿って貫通した線条材を有し、前記線条材の前記立体モチーフから突出している箇所に前記線条材に直交する方向に延び出た装飾部を有していてよい。
【考案の効果】
【００１１】
本考案の装身具を構成している立体モチーフは、リボン片を交互に折り返して交差させた市松模様を呈する交差部が積み重なった構成となっており、立体モチーフの両端部に市松模様を呈し、立体モチーフの中間の部分では、リボン片の折り返し部が積み重なった状態で露出して所定の模様を呈する。立体モチーフの少なくとも一方の端部でリボン片の切断端が生じるが、その切断端は立体モチーフの端部において交差部を形成しているいずれかのリボン片の下側に入り込んで位置しかつ立体モチーフに対して固定されている。すなわち、リボン片の切断端が外部に露出しておらず、立体モチーフの端部の市松模様がリボン片の切断端によって損なわれることがない。
【００１２】
特に、リボン片を構成している繊維同士をリボン片の切断端で互いに融合している構成とすれば、前記繊維がほつれることがないので、リボン片を前記交差部を構成しているリボン片の下側に差し込む作業が容易になり、また繊維のほつれによる見栄えの悪化を回避できる。
【００１３】
さらに、中心部を貫通する線条材を設け、かつその線条材が前記装飾部を有していることにより、前記立体モチーフにアクセントを付けることができるとともに、立体モチーフの長さが装飾部によって規制されるので、立体モチーフの形態の崩れを防止でき、ひいては形の崩れのない装身具とすることができる。また、線条材を連結用の部品として使用することができるうえに、連結した状態での引っ張り力を線条材で受けることができるので、形の崩れの少ない立体モチーフあるいは装身具とすることができる。
【図面の簡単な説明】
【００１４】
【図１】本考案の一実施例を一部省略して示す斜視図である。
【図２】市松模様を呈する交差部を積み重ねて立体モチーフとする手順を説明するための説明図である。
【図３】二本のリボンを使用して市松模様を呈する交差部を作る手順を説明するための説明図である。
【図４】四本のリボンを使用して市松模様を呈する交差部を作る手順を説明するための説明図である。
【図５】リボン片の端部の固定状態を示す部分的な断面図である。
【考案を実施するための形態】
【００１５】
つぎに本考案を実施例に基づいて説明する。図１は本考案に係る装身具１を一部省略して示しており、ここに示す装身具１はリボン片を細長い直方体状をなすように編んだ立体モチーフ２を主体とするものである。ここでリボン片とは、布や不織布あるいは紙などを素材とした細長い帯状体もしくはその帯状体の一部を言う。立体モチーフ２は、複数本のリボン片を、交差部が市松模様を呈するように交差させ、その交差部を積み重ねた矩形断面もしくは方形断面の細長い形状を有している。したがって、立体モチーフ２の長手方向の両端部には、市松模様の交差部３が現れている。
【００１６】
立体モチーフ２の構造をより明確にするために、その成り立ちを説明する。図２の（ａ）は、リボン片４，５，６，７からなる交差部３を示している。一対のリボン片４，６が互いに平行に配置され、他の一対のリボン片５，７が互いに平行でかつ前記一対のリボン片４，６に直交する向きに配置されている。第１のリボン片４は第４のリボン片７に交差するとともに折り返された部分の内側に第４のリボン片７を包み込んでいる。第１のリボン片４のうち第４のリボン片７を包み込んでいる箇所の近くに第２のリボン片５が交差するとともにその第２のリボン片５が折り返されて第１のリボン片４を包み込んでいる。同様に、第２のリボン片５のうち第１のリボン片４を包み込んでいる箇所の近くに第３のリボン片６が交差するとともにその第３のリボン片６が折り返されて第２のリボン片５を包み込んでいる。さらに、第３のリボン片６のうち第２のリボン片５を包み込んでいる箇所の近くに第４のリボン片７が交差するとともにその第４のリボン片７が折り返されて第３のリボン片６を包み込んでいる。
【００１７】
このような市松模様を呈する交差部３は二本のリボンを使用して作ることができ、また四本のリボンを使用して作ることもできる。図３に二本のリボン２０，３０を使用する例を示してあり、先ず、図３の（ａ）に示すように、これらのリボン２０，３０を直交するように交差させる。
【００１８】
ついで、図３の（ｂ）に示すように、下側のリボン２０の片側の部分（この部分をリボン片と記す）２０ａを、ループができるように曲げ戻して上側のリボン３０の図３（ａ）における下側の部分（この部分をリボン片と記す）３０ａの上に重ねる。
【００１９】
さらに、図３の（ｃ）に示すように、そのリボン片３０ａをその上に載っているリボン片２０ａを包み込むようにリボン片２０ａのエッジ部分に沿って折り曲げ、最も下側にあるリボン２０の他方の片側の部分（この部分をリボン片と記す）２０ｂの上に斜めに交差させて載せる。
【００２０】
また、図３の（ｄ）に示すように、この最も下側にあるリボン片２０ｂをその上に載っているリボン片３０ａを包み込むようにリボン片３０ａのエッジに沿って折り曲げ、上記のループを作っているリボン片２０ａに平行になるようにリボン片２０ａに沿わせる。
【００２１】
そして、図３の（ｅ）に示すように、リボン３０の他方のリボン片３０ｂをその上に載っているリボン片２０ｂを包み込むようにリボン片２０ｂのエッジに沿って折り返し、かつ前記ループの中に通す。この状態で各リボン片２０ａ，２０ｂ，３０ａ，３０ｂの端部を、図３の（ｅ）に矢印で示す方向に、交差部分が閉まるように引っ張れば、図２の（ａ）に示す市松模様を呈する交差部３が得られる。
【００２２】
なお、二本のリボン２０，３０を使用する場合、上記のように織って交差部３を作ると、市松模様を呈する面の反対側の面では、各リボン２０，３０が市松模様の対角線方向に向いて重なっている状態になる。したがってこのような交差部３を立体モチーフ２の織り初めとする場合には、市松模様を外側として、リボン２０，３０が対角線方向に向いている面を内側（上側）としてその上に後述する交差部３を折り重ねていく。
【００２３】
図４は、四本のリボン４０，５０，６０，７０を使用する例であり、先ず、図４の（ａ）に示すように、一対のリボン４０，５０を平行に並べて配置し、かつ他の一対のリボン６０，７０を互いに平行に並べるとともに前記一対のリボン４０，５０に直交するように配置し、さらにこれら四本のリボン４０〜７０を互いに上下に潜るように交差させる。すなわち、竹細工における市松編み（市松組み）と同様に交差させる。
【００２４】
この交差状態を固定し、図４の（ｂ）に示すように、下側にあるリボン４０の片側の部分（この部分をリボン片と記す）４０ａをその上に載っているリボン６０の片側の部分（この部分をリボン片と記す）６０ａを包み込むようループ状に曲げ返して、リボン４０の他方の片側の部分（この部分をリボン片と記す）４０ｂの上に重ねる。
【００２５】
ついで、図４の（ｃ）に示すように、曲げ返されて重なっているリボン片４０ａ，４０ｂの下側にあるリボン７０の片側の部分（この部分をリボン片と記す）７０ａをその上のリボン片４０ａ，４０ｂを包み込むようにリボン片４０ａ，４０ｂのエッジに沿って折り返し、リボン７０の他方の片側の部分（この部分をリボン片と記す）７０ｂの上に重ねる。
【００２６】
このリボン片７０ｂと同様に、リボン５０の片側の部分（この部分をリボン片と記す）５０ａを折り返す。すなわち、図４の（ｄ）に示すように、折り返されて重なっているリボン片７０ａ，７０ｂの下側にあるリボン片５０ａをその上に載っているリボン片７０ａ，７０ｂを包み込むようにリボン片７０ａ，７０ｂのエッジに沿って折り返し、リボン５０の他方の片側の部分（この部分をリボン片と記す）５０ｂの上に重ねる。
【００２７】
そして、図４の（ｅ）に示すように、リボン６０の他方の片側の部分（この部分をリボン片と記す）６０ｂをその上に載っているリボン片５０ａ，５０ｂを包み込むようにリボン片５０ａ，５０ｂのエッジに沿って折り返し、かつリボン片４０ａが形成しているループに通す。この状態で図４の（ｅ）に付してある矢印の方向に各リボン片４０ａ，４０ｂ，５０ａ，５０ｂ，６０ａ，６０ｂ，７０ａ，７０ｂを引っ張って交差部を締め付けることにより図２の（ａ）に示す交差部３が得られる。
【００２８】
なお、図４に示す例では、各リボン４０〜７０が互いに結びつけられていないので、ある程度まで織り進まないと交差部がほどける可能性がある。したがって、最初に市松編み（市松組み）した状態で各リボン４０〜７０を接着するなど、固定処理を施すことが好ましい。
【００２９】
図２の（ａ）に示す交差部３の上に更に交差部３を形成する手順を次に説明する。図２の（ａ）に示す状態で、いずれかの（例えば第１の）リボン片４を、その上に載っている第２のリボン片５を包み込みかつループＲを作るように曲げ返し、第４のリボン片７を包み込んでいる部分の上に重ねる。その状態を図２の（ｂ）に示してある。
【００３０】
このように重ねた第１のリボン片４を包み込むように第４のリボン片７を第１のリボン片４のエッジに沿って折り返し、第３のリボン片６を包み込んでいる部分の上に重ねる。これを図２の（ｃ）に示してある。
【００３１】
ついで、図２の（ｄ）に示すように、重なりあっている第４のリボン片７を包み込むように第３のリボン片６を第４のリボン片７のエッジに沿って折り返し、第２のリボン片５を包み込んでいる部分の上に重ねる。
【００３２】
さらに、図２の（ｅ）に示すように、重なりあっている第３のリボン片６を包み込むように第２のリボン片５を第３のリボン片６のエッジに沿って折り返し、かつ第１のリボン片４によるループＲの中に通す。この状態で各リボン片４〜７を図２の（ｅ）に矢印で示した方向に引っ張ることによりリボン片４〜７の弛みがとれて図２の（ａ）に示す市松模様を呈する交差部３が得られる。図２の（ｂ）〜（ｅ）の操作を繰り返すことにより交差部３が積み重ねられる。
【００３３】
上記の交差部３を積み重ねた立体モチーフ２の端部（図１では上端および下端）のいずれか少なくとも一方では、リボン片４〜７の切断端が生じる。図３に示す手順で織った場合には、一方の端部でリボン片３０，４０の切断端（四つの切断端）が生じ、図４に示す手順で織った場合には、両方の端部のそれぞれでリボン片４０ａ，４０ｂ，５０ａ，５０ｂ，６０ａ，６０ｂ，７０ａ，７０ｂの切断端（それぞれ四つの切断端）が生じる。この切断端は、図５に示すように、市松模様を呈するように編まれているリボン片の下側に入り込んで固定されている。なお、図５では、上述した各リボン片を、符号１００および１０１を付したリボン片で示してある。
【００３４】
図５の（ａ）に示す例について説明すると、交差部３を形成するべく折り返された所定のリボン片１００の切断端１００ａが交差部３の外側に引き出され、その切断端１００ａは接着剤（図示せず）を塗布された後に、図５の（ａ）に矢印で示すように、最も外側のリボン片１０１の下側に挿入されている。前記切断端１００ａは、当該外側のリボン片１０１の幅方向での中間部に位置し、したがって当該外側のリボン片１０１によって外観に現れないように隠蔽され、かつ接着剤によって固定されている。
【００３５】
図５の（ｂ）に示す例について説明すると、交差部３を形成するべく折り返された所定のリボン片１００の切断端１００ａは、最も外側のリボン片１０１の下側に挿入されるとともに、そのリボン片１０１の幅方向に貫通して外側に引き出され、その切断端１００ａに接着剤（図示せず）を塗布する。その後に、図５の（ｂ）に矢印で示すように、前記リボン片１００自らの折り返し部１０２の間に挿入されている。したがって当該外側のリボン片１０１によって外観に現れないように隠蔽され、かつ接着剤によって固定されている。
【００３６】
すなわち、本考案に係る装身具１における立体モチーフ２は、長手方向での端部が外部に露出した構成になるが、立体モチーフ２を形成しているリボン片の端部が外部に出ないので、交差部３の市松模様がきれいになり、外観あるいは見栄えが良好になる。
【００３７】
また、リボン片４〜７が熱可塑性合成樹脂繊維からなる布材の場合、そのリボン片４〜７の切断端において素材である熱可塑性合成樹脂繊維同士が溶かされて互いに融合している。そのため、切断端を図５に示すようにリボン片の間に入れ込む際に、繊維がほつれたり、ほつれた繊維が作業の邪魔になることが回避される。また、ほつれた繊維によって外観あるいは見栄えが損なわれることを回避できる。
【００３８】
本考案に係る装身具１を構成している立体モチーフ２は図１に示すように、その中心部に長手方向に沿う線条材８を備えている。この線条材８は、金属線や合成樹脂線などのリボンに比較して強度の高い材料からなるものであり、交差部３の中心で各リボン片４〜７の間を貫通している。この線条材８のうち立体モチーフ２から突き出ている部分に装飾部９が設けられている。この装飾部９は、線条材８より太い部分あるいは線条材８に直交する方向に延び出た部分であり、線条材８を加工して形成した部分であってよく、あるいはビーズや真珠、宝石、貴金属などを線条材８に取り付けて形成した部分であってもよい。
【００３９】
立体モチーフ２を構成している多段の交差部３は、リボン片４〜７を前述したように引っ張って形成され、リボン片４〜７同士が密に接触している。そのため、上記の装飾部９が一体に設けられている線条材８を立体モチーフ２の中心部に刺し通すことができないから、本考案に係る立体モチーフ２を作る場合、装飾部９を有する線条材８を予め用意し、その線条材８をリボン片４〜７の中心部分に配置し、その線条材８の周囲でリボン片４〜７を図２に示すように織り（折り）進めて図１に示す立体モチーフ２あるいは装身具１を作る。
【００４０】
このようにして得られた装身具１では、リボン片４〜７からなる柔軟な立体モチーフ２の両端部に、線条材８より太い装飾部９が配置されるので、装飾部９が飾りになるとともに立体モチーフ２の抜け止め部として機能する。そのため、上記の装飾部９を有する構成では、立体モチーフ２の少なくとも長手方向での変形を回避もしくは抑制することができる。また、装飾部９は、その形状を工夫することにより、立体モチーフ２を繋ぐための連結部として機能させることができる。さらに、連結部１０は装飾部９とは別に設けることができ、図１に示す例では、線条材８の端部に環状部として連結部１０が設けられている。図１に示す線条材８を有する装身具１は、身に付ける場合に線条材８によって衣服などに取り付けることになる。したがって、取り扱い時や身に付けている場合などに力が掛かるとしても、その力を線条材８によって受けることになるので、リボン片４〜７からなる柔軟な立体モチーフ２が変形あるいは損傷することを未然に回避もしくは抑制することができる。
【符号の説明】
【００４１】
１…装身具、  ２…立体モチーフ、  ３…交差部、  ４，５，６，７，２０ａ，２０ｂ，３０ａ，３０ｂ，４０ａ，４０ｂ，５０ａ，５０ｂ，６０ａ，６０ｂ，７０ａ，７０ｂ，１００，１０１…リボン片、  ２０，３０，４０，５０，６０，７０…リボン、  １００ａ…切断端、  ８…線条材、  ９…装飾部、  １０…連結部。
【図１】
0003203973.tif 000003
【図２】
0003203973.tif 000004
【図３】
0003203973.tif 000005
【図４】
0003203973.tif 000006
【図５】
0003203973.tif 000007